(57)【要約】【課題】簡易的手段を用いて水槽を揺動不能に固定保持し、包装箱が横倒し、あるいは角部や稜線部から落下した場合でも十分な強度を確保できる洗濯機及びその包装装置を提供する。【解決手段】洗濯機１００は、箱体１と、箱体１内に吊り下げ収容される水槽２とを備え、水槽２の下側に、水槽２の下側で固定される輸送金具２０を取り付け、水槽２の背面側を、水槽２の背面側に配設されたネジ穴を有するブラケットＡ２２と箱体１の背面を構成する背面パネル３１とをボルトＡ２４を用いて締結することによって、ブラケットＡ２２を介して背面パネル３１に固定した。【選択図】図１
2008062021.tif 000002
【特許請求の範囲】
【請求項１】
箱体と、
前記箱体内に吊り下げ収容される水槽とを備え、
前記水槽の下側に、前記水槽の下側で固定される輸送金具を取り付け、
前記水槽の背面側を、前記水槽の背面側に配設されたネジ穴を有する第１のブラケットと前記箱体の背面を構成する背面パネルとをボルトを用いて締結することによって、該第１のブラケットを介して前記背面パネルに固定した
ことを特徴とする洗濯機。
【請求項２】
箱体と、
前記箱体内に吊り下げ収容される水槽と、
前記水槽の下側に取り付けられ、前記水槽の下側で固定される輸送金具と、
前記水槽の背面側または側面側に配設されたネジ穴を有する第１のブラケットと、
前記水槽の底面または側面に配設され、前記第１のブラケットの一端を係合する金属板と備え、
前記水槽の背面側または側面側を、
前記第１のブラケット及び前記金属板と、前記箱体の背面を構成する背面パネルまたは側面を構成する側面パネルとをボルトを用いて締結することによって、該第１のブラケット及び該金属板を介して前記背面パネルまたは前記側面パネルに固定した
ことを特徴とする洗濯機。
【請求項３】
前記金属板の一部に開口部または切欠部を形成し、
前記開口部又は前記切欠部で前記第１のブラケットの一端を係合する
ことを特徴とする請求項２に記載の洗濯機。
【請求項４】
前記背面パネルまたは前記側面パネルに前記ボルトが所定範囲で移動可能なスリットを形成するとともに、
前記開口部又は前記切欠部を前記第１のブラケットの一端が所定範囲で移動可能な大きさとして形成した
ことを特徴とする請求項３に記載の洗濯機。
【請求項５】
前記第１のブラケットの一端に引っかけ部を設け、
前記引っかけ部で前記開口部又は前記切欠部に係合する
ことを特徴とする請求項２〜４のいずれかに記載の洗濯機。
【請求項６】
前記輸送金具の中心を通る鉛直方向の軸と前記水槽の重心を通る鉛直線とを略一致させ、かつ、前記第１のブラケットのネジ穴中心線の高さと前記重心の高さとを略一致させた
ことを特徴とする請求項１〜５のいずれかに記載の洗濯機。
【請求項７】
前記第１のブラケットを、
前記水槽の中心軸を該水槽の正面側から水槽外周壁に投影したときに形成される投影中心軸をはさんで複数箇所で締結した
ことを特徴とする請求項１〜６のいずれかに記載の洗濯機。
【請求項８】
前記第１のブラケットを複数設け、
前記第１のブラケットのそれぞれを、前記投影中心軸をはさんで対称位置に配設した
ことを特徴とする請求項７に記載の洗濯機。
【請求項９】
前記背面パネルの内側または外側であって前記第１のブラケットに対応する位置に第１の補強板を設けた
ことを特徴とする請求項１〜８のいずれかに記載の洗濯機。
【請求項１０】
前記水槽の左右に配設され、ネジ穴を有する第２のブラケットを備え、
前記第２のブラケットと前記箱体の背面を構成する側面パネルとをボルトを用いて締結することによって、前記第２のブラケットを介して前記水槽を前記背面パネルに固定した
ことを特徴とする請求項１〜９のいずれかに記載の洗濯機。
【請求項１１】
前記第２のブラケットの取り付け高さと前記重心の高さとを略一致させた
ことを特徴とする請求項１０に記載の洗濯機。
【請求項１２】
前記側面パネルの内側または外側であって前記第２のブラケットに対応する位置に第２の補強板を設けた
ことを特徴とする請求項９または１０に記載の洗濯機。
【請求項１３】
前記請求項１〜１２のいずれかに記載の洗濯機を載置する底ケースと、
前記底ケースに収納され、前記輸送金具を嵌め込む底部緩衝体と、
前記底ケースの上から被せられ、前記洗濯機を収納する外装ケースとで構成した
ことを特徴とする包装装置。
【請求項１４】
前記底部緩衝体に前記底部緩衝体の剛性とは異なる剛性の突起部を設け、
前記輸送金具に前記突起部を装着する開口部を設け、
前記突起部を前記開口部に装着することで、前記輸送金具を前記底部緩衝体に固定可能にした
ことを特徴とする請求項１３に記載の包装装置。
【請求項１５】
前記突起部の少なくとも一部が、前記輸送金具及び前記底部緩衝体と接している
ことを特徴とする請求項１４に記載の包装装置。
【請求項１６】
前記底ケースの底面４隅に脚部緩衝体を設け、
前記底部緩衝体を前記脚部緩衝体と接続させた
ことを特徴とする請求項１３〜１５のいずれかに記載の包装装置。
【請求項１７】
前記箱体内の上部には投入口が形成されており、
前記投入口及び前記水槽の開口部縁に嵌め込まれる槽押えを分割構造とした
ことを特徴とする請求項１３〜１６のいずれかに記載の包装装置。
【請求項１８】
前記槽押えは、
空間部を形成するように前記投入口及び前記水槽開口部縁に嵌め込まれ、
前記空間部に前記槽押えとは別の第２槽押えを挿入した
ことを特徴とする請求項１７に記載の包装装置。
【発明の詳細な説明】
【技術分野】
【０００１】
本発明は、水槽を傾斜させた状態で固定するようにした洗濯機及びその包装装置に関するものである。
【背景技術】
【０００２】
従来から、洗濯機の包装方法においては、一般的に、水槽の下部に配設した輸送金具と、水槽上部に嵌め込んだ槽押えとにより、水槽を固定し、水槽の揺動を抑制して洗濯機の運搬・輸送時の振動・衝撃を吸収するようになっている。近年、箱体内に水槽を吊り下げて弾性支持し、水槽を箱体の前方側に傾斜させた洗濯機が広く普及するようになっている。このような洗濯機では、洗濯機の運搬・輸送時の振動・衝撃から適切に保護するために、水槽を傾斜させたままの状態で水槽を揺動不能に固定保持するように包装することが要求されている。
【０００３】
そのようなものとして、「外枠上部に蓋を有するトップカバーを備え、前記外枠内に外槽を吊下げ支持し、外槽内に内槽を配し、内槽内底部に回転翼を有し、外槽外底部にはモーター等の機構部を取り付けた一槽式洗濯機の、前記外槽全体の揺動を阻止する梱包部材において、前記洗濯機のトップカバー，外槽および内槽の各開口部端縁に嵌合密着する固定材を合成樹脂製の箱形材によって構成し、前記箱形固定材の上端開口部に、洗濯機トップカバー上に係合するフランジを形成することに加えて、さらに前記箱形固定材の内部に、この箱形固定材の内部空間を仕切る仕切壁を交差して設けた一槽式洗濯機の梱包部材」が提案されている（たとえば、特許文献１参照）。
【０００４】
この梱包部材と適用した洗濯機は、水槽の下部に輸送金具を取り付け、輸送金具の底面形状に合せた底部緩衝体を包装時に取り付けて上下方向の位置決めを行い、上下揺動した時の床への振動・衝撃荷重を受けるとともに、水槽の上部に嵌め込んだ槽押えにより、水槽に加わる運搬・輸送時の振動・衝撃に対して、水槽の揺動を抑制する構造となっていた。この輸送金具の取付中心軸と槽押えの中心軸とは、水槽中心軸とほぼ一致しており、上下方向の振動・衝撃に対して水槽の揺動を抑制する構造となっていた。また、吊り棒の上側を箱体に設けられた球面座に吊り下げ、下側を水槽の受け座に引っ掛けることによって水槽を箱体に吊り下げているが、輸送金具によって水槽を持ち上げることにより、吊り棒、箱体の球面座及び水槽の受け座にかかる荷重を小さくする構造となっていた。    
【０００５】
【特許文献１】特開平６−１５６５７２号公報（第４頁、第１図）
【発明の開示】
【発明が解決しようとする課題】
【０００６】
しかしながら、上記のような構造では、水槽の傾斜角を前後に可動できるようにした洗濯機や、水槽を箱体の前方側に傾斜させた洗濯機に対して箱体内に水槽を確実に固定することができないという問題があった。また、このような構造では、水槽の揺動を抑制し切れず、運搬・輸送時の振動・衝撃により水槽が箱体に衝突してしまい、水槽が変形したり破損したりするという問題があった。さらに、底部緩衝体に過度の荷重が加わることになり、底部緩衝体も破損してしまうという問題があった。
【０００７】
一方、このような構造を水槽の傾斜角を前後に可動できるようにした洗濯機や、水槽を機体の前方側に傾斜させた形態の洗濯機に適用した場合、水槽を傾斜させたまま包装すると、水槽が傾斜している分、輸送金具は水槽中心軸に対して傾斜して取り付けられるようになる。そうすると、槽押えの中心軸は水槽中心軸と一致しているため、輸送金具の取付中心軸と槽押えの中心軸とが傾斜してしまい、水槽が傾斜しない洗濯機に比べて水槽の揺動を抑制しにくくなるという問題もあった。つまり、水槽が箱体に衝突して水槽が変形・破損したり、底部緩衝体に過度の荷重が加わって底部緩衝体が破損したりする危険性が増大してしまうのである。
【０００８】
特に、包装箱が後倒しになった場合に、槽押えは水槽が背面側に動くのを止められない方向に保持しているため、さらに水槽が箱体に衝突しやすくなる恐れがあった。また、吊り棒、箱体の球面座、水槽の受け座及び内部部品がさらに損傷を受けやすいという問題があった。さらに、複雑な手段で水槽を確実に固定したとしても、取り扱いも複雑で難しいものとなってしまうという問題もあった。
【０００９】
本発明は、以上のような課題を解決するためになされたもので、簡易的手段を用いて水槽を揺動不能に固定保持し、包装箱が横倒し、あるいは角部や稜線部から落下した場合でも十分な強度を確保できる洗濯機及びその包装装置を提供するものである。また、簡易的手段で水槽を揺動不能に固定保持し、輸送荷重に対して洗濯機を適切に保護するとともに、家宅での据付時に簡単に取り外しできる洗濯機及びその包装装置を提供するものである。
【課題を解決するための手段】
【００１０】
本発明に係る洗濯機は、箱体と、箱体内に吊り下げ収容される水槽とを備え、水槽の下側に、水槽の下側で固定される輸送金具を取り付け、水槽の背面側を、水槽の背面側に配設されたネジ穴を有する第１のブラケットと箱体の背面を構成する背面パネルとをボルトを用いて締結することによって、該第１のブラケットを介して背面パネルに固定したことを特徴とする。
【００１１】
本発明に係る洗濯機は、箱体と、箱体内に吊り下げ収容される水槽と、水槽の下側に取り付けられ、水槽の下側で固定される輸送金具と、水槽の背面側または側面側に配設されたネジ穴を有する第１のブラケットと、水槽の底面または側面に配設され、第１のブラケットの一端を係合する金属板と備え、水槽の背面側または側面側を、第１のブラケット及び金属板と、箱体の背面を構成する背面パネルまたは側面を構成する側面パネルとをボルトを用いて締結することによって、該第１のブラケット及び該金属板を介して背面パネルまたは前記側面パネルに固定したことを特徴とする。
【００１２】
また、本発明に係る洗濯機の包装装置は、上記の洗濯機を載置する底ケースと、底ケースに収納され、輸送金具を嵌め込む底部緩衝体と、底ケースの上から被せられ、洗濯機を収納する外装ケースとで構成したことを特徴とする。
【発明の効果】
【００１３】
本発明に係る洗濯機は、箱体と、箱体内に吊り下げ収容される水槽とを備え、水槽の下側に、水槽の下側で固定される輸送金具を取り付け、水槽の背面側を、水槽の背面側に配設されたネジ穴を有する第１のブラケットと箱体の背面を構成する背面パネルとをボルトを用いて締結することによって、該第１のブラケットを介して背面パネルに固定したので、複雑な構造にすることなく確実に水槽を固定保持することができ、輸送時の荷重、振動及び衝撃から保護するとともに、横倒したり、角部や稜線部から落下したりしたときでも十分な強度を確保することができる。
【００１４】
本発明に係る洗濯機は、箱体と、箱体内に吊り下げ収容される水槽と、水槽の下側に取り付けられ、水槽の下側で固定される輸送金具と、水槽の背面側または側面側に配設されたネジ穴を有する第１のブラケットと、水槽の底面または側面に配設され、第１のブラケットの一端を係合する金属板と備え、水槽の背面側または側面側を、第１のブラケット及び金属板と、箱体の背面を構成する背面パネルまたは側面を構成する側面パネルとをボルトを用いて締結することによって、該第１のブラケット及び該金属板を介して背面パネルまたは前記側面パネルに固定したので、複雑な構造にすることなく確実に水槽を固定保持することができ、輸送時の荷重、振動及び衝撃から保護するとともに、横倒したり、角部や稜線部から落下したりしたときでも十分な強度を確保することができる。  
【００１５】
また、本発明に係る洗濯機の包装装置は、上記の洗濯機を載置する底ケースと、底ケースに収納され、輸送金具を嵌め込む底部緩衝体と、底ケースの上から被せられ、洗濯機を収納する外装ケースとで構成したので、上記の洗濯機の効果を有するとともに、横倒したり、角部や稜線部から落下したりした場合でも洗濯機の外部の損傷を防止することができる。
【発明を実施するための最良の形態】
【００１６】
以下、本発明の実施の形態を図面に基づいて説明する。
実施の形態１．
図１は、本発明の実施の形態１に係る洗濯機１００を側面から見た概略構成を示す透視図である。図１に基づいて、実施の形態１に係る洗濯機１００及び包装装置２００の構成について説明する。この洗濯機１００は、箱体１内に水槽２を前吊り棒３及び後吊り棒４で吊り下げ支持する構成となっている。
【００１７】
この図１では、洗濯機１００が包装装置２００内に包装され、床面２７に置かれている場合を表している。また、この図１には、水槽２の中心軸である水槽中心軸２８と、輸送金具２０の中心を通る鉛直方向の軸である輸送金具取付中心軸４０とを併せて図示している。なお、図１を含め、以下の図面では、各構成部材の大きさの関係が実際のものとは異なる場合がある。また、図の左側を洗濯機前方とし、右側を洗濯機後方として説明する。
【００１８】
図１に示すように、洗濯機１００は、箱体１内に水槽２を前吊り棒３及び後吊り棒４で吊り下げ、傾斜配置させた構成となっている。水槽２の内部には、衣類等の洗濯物を収容し、その洗濯物の洗浄や脱水、乾燥等を行なう脱水槽１２が回転自在に配置されている。この水槽２は、脱水時に脱水槽１２から飛散する水を受ける役目を果たすようになっている。また、脱水槽１２の上部には、脱水槽１２で発生する振動を減衰させるリング状のバランサ２５が配設されている。
【００１９】
水槽２の下側には、脱水槽１２を回転駆動するための電動機１３が配設されている。この電動機１３は、図示省略のＤＣモータやギア、クラッチ等で構成されている。なお、箱体１内には、電動機１３内のモータの回転数を制御するための図示省略の制御手段が設けられている。この制御手段は、ユーザからの指示に基づいて洗濯機１００全体の動作（洗浄工程や脱水工程、乾燥工程）を統括制御するようになっており、たとえばマイクロコンピュータ等で構成されている。
【００２０】
また、箱体１の上部には、衣類等の洗濯物を出し入れする投入口１６が形成されており、この投入口１６を蓋１５によって開閉可能になっている。この箱体１は、４本の脚１０で支えられるようになっている。なお、水槽２を吊り下げる前吊り棒３及び後吊り棒４は、箱体１の前後方向に少なくとも１つずつ設けられていればよく、特に本数を限定するものではない。また、前吊り棒３の長さと後吊り棒４の長さとが異なっていてもよい。さらに、前吊り棒３の本数と、後吊り棒４の本数とが異なっていてもよい。
【００２１】
前吊り棒３及び後吊り棒４は、上部が箱体１に設けられている球面座９に吊り下げられるようになっており、下部が水槽２の外周に設けられている受け座１１に貫通するようになっている。つまり、前吊り棒３及び後吊り棒４の本数に応じた球面座９及び受け座１１が前吊り棒３及び後吊り棒４の上部及び下部に配置されているのである。この球面座９は、箱体１内に固定されており、前吊り棒３及び後吊り棒４を貫通支持するようになっている。
【００２２】
なお、水槽２を予め所定の角度で傾斜させてもよく、球面座９が前吊り棒３及び後吊り棒４を上下方向に移動することによって水槽２を任意の角度で傾斜させてもよい。たとえば、制御手段が洗濯機１００の運転工程に応じて球面座９を制御することで、水槽２の傾斜角度を調整可能にするとよい。なお、球面座９は、前吊り棒３及び後吊り棒４を吊り下げるものであればよく、特に種類や機構を限定するものではない。
【００２３】
受け座１１は、水槽２の下方外周に設けられており、前吊り棒３及び後吊り棒４と水槽２とを連結するようになっている。また、この受け座１１の下方には、水槽２を弾性支持するための前防振装置７及び後防振装置８が設けられている。受け座１１は、前吊り棒３及び後吊り棒４を貫通させて水槽２と前吊り棒３及び後吊り棒４とを連結する役目を果たすようになっている。つまり、この受け座１１は、前吊り棒３及び後吊り棒４を受け入れて前吊り棒３及び後吊り棒４と水槽２とを連動可能に連結しているのである。
【００２４】
前防振装置７及び後防振装置８は、前吊り棒３及び後吊り棒４の下端に設けられており、前吊り棒３及び後吊り棒４が抜けてしまうのを防止するとともに、受け座１１を下側から弾性支持する役目を果たすようになっている。また、この前防振装置７及び後防振装置８は、受け座１１を介して水槽２を下側から弾性支持するととともに、受け座１１を介して伝播する振動（運転時の電動機１３による加振力）を吸収する役目を果たすようになっている。なお、前防振装置７及び後防振装置８の種類を特に限定するものではないが、たとえばダンパーやサスペンション、コイルバネ、防振用バネ、空気バネ等で構成するとよい。
【００２５】
水槽２の下側には、電動機１３の下側を囲むように輸送金具２０が配設されている（図５参照）。この輸送金具２０は、ボルトＣ３８で水槽２の下側を固定するようになっており、洗濯機１００の包装時には、その底面形状に合せた穴を設けた底部緩衝体（緩衝体）１９に嵌め込まれるようになっている。また、水槽２の上部には、投入口１６、水槽２及び脱水槽１２の各開口部縁に勘合する槽押え２１が嵌め込まれるようになっている。さらに、水槽２の背面側にはネジ穴を有する第１のブラケットであるブラケットＡ２２が配設されており、ボルトＡ２４及びスペーサＡ２３を用いて締結することによって、箱体１の背面を構成する背面パネル３１に水槽２を固定保持している。
【００２６】
包装装置２００は、外装ケース４１及び底ケース１４で構成されている。洗濯機１００は、その箱体１の上部が上部緩衝体１７を挟んで外装ケース４１内に収納されるようになっている。また、洗濯機１００は、その箱体１の下部が脚部緩衝体１８を挟んで底ケース１４内に載置されるようになっている。つまり、包装装置２００は、箱体１が載置されている底ケース１４の上から、外装ケース４１を被せることで構成されている。そして、この包装装置２００は、床面２７に置かれるようになっている。この包装装置２００は、洗濯機１００の外部の損傷を防止する役目を果たしている。
【００２７】
図２は、輸送金具２０の構成の一例を示す斜視図である。図２に基づいて、実施の形態１に係る輸送金具２０について説明する。この輸送金具２０は、図２に示すようにＵ字状に形成されている。この輸送金具２０は、その内側で上述したように電動機１３の下側を囲むようになっている。また、輸送金具２０の両端は、折り曲げられてフランジが形成されており、水槽２の底面に取り付けるための穴３９が開けられ、ボルトＣ３８を用いて水槽２を固定する構造となっている。
【００２８】
次に、洗濯機１００及び包装装置２００の作用について説明する。
まず、図１に示したように、洗濯機１００の包装時においては、水槽２の下部に設けられた輸送金具２０を、その底面形状に合せた底部緩衝体１９に嵌め込んで上下方向の位置決めを行う。そして、その高さにおいて水槽２の背面側に設けたブラケットＡ２２の穴位置と、背面パネル３１に設けた穴位置とが一致（対向）するようになっており、ボルトＡ２４及びスペーサＡ２３を用いて締結することにより背面パネル３１に水槽２を固定保持する。
【００２９】
次に、投入口１６、水槽２及び脱水槽１２の各開口部縁に勘合する槽押え２１を嵌め込んで蓋１５を閉じ、水槽２及び脱水槽１２の揺動を抑制する。それから、脚部緩衝体１８を挟んで洗濯機１００の箱体１を底ケース１４に入れ、上部緩衝体１７を挟んで外装ケース４１を上から被せることで包装装置２００が出来上がる。最後に、図示省略の樹脂製バンドを用いて包装装置２００を緊縛することで洗濯機１００の包装が完了する。なお、実施の形態１において、ブラケットＡ２２は、水槽２と別部品である場合に限定するものではなく、水槽２の一部にブラケットＡ２２の機能を併せ持たせてもよい。
【００３０】
以上のように、実施の形態１に係る洗濯機１００は、水槽２の下部に輸送金具２０を配設し、輸送金具２０の底面形状に合せた底部緩衝体１９を包装時に取り付けて上下方向の位置決めを行い、上下揺動した時の床面２７への荷重、振動及び衝撃を受けるようになっている。また、底部緩衝体１９によって上方に持ち上げられた水槽２の背面側に設けたブラケットＡ２２を背面パネル３１にボルトＡ２４で締結することによって、輸送金具取付中心軸４０と水槽中心軸２８とが傾斜（交差）していても、つまり水槽２が傾斜していても輸送時の荷重、振動及び衝撃に対して洗濯機１００を適切に保護できる。
【００３１】
この包装装置２００が横倒した場合、あるいは角部や稜線部から落下した場合でも、輸送金具２０及びボルトＡ２４で荷重を受けるため、水槽２の揺動を抑制し、前吊り棒３、後吊り棒４、箱体１の球面座９、水槽２の受け座１１及び図示省略の各種内部部品が損傷することを防止できる。また、水槽２を確実に固定保持できるので、水槽２が動いて箱体１に衝突して変形や破損を生じたり、底部緩衝体１９に過度の荷重が加わって破損したりすることも防止できる。さらに、簡易的手段で水槽２を揺動不能に固定保持し、輸送荷重に対して洗濯機１００を適切に保護するとともに、家宅での据付時に簡単に取り外すことができる。
【００３２】
実施の形態２．
図３は、本発明の実施の形態２に係る洗濯機１００ａを側面から見た概略構成を示す透視図である。図３に基づいて、実施の形態２に係る洗濯機１００ａの構成について説明する。この洗濯機１００ａは、箱体１内に水槽２を前吊り棒３及び後吊り棒４で吊り下げ支持する構成となっている。この図３では、洗濯機１００ａが包装装置２００内に包装され、床面２７に置かれている場合を表している。
【００３３】
なお、実施の形態２では実施の形態１との相違点を中心に説明するものとし、実施の形態１と同一部分には、同一符号を付して説明を省略するものとする。また、この図３には、水槽中心軸２８及び輸送金具取付中心軸４０の他に、水槽２０の重心である水槽重心２６と、この水槽重心２６を通る鉛直線２９と、水槽重心までの高さである水槽重心高さ３０とを併せて図示している。
【００３４】
上述した実施の形態１では、水槽２の背面側に設けたブラケットＡ２２を背面パネル３１にボルトＡ２４で締結することによって水槽２を固定保持し、洗濯機１００を輸送時の荷重、振動及び衝撃から保護するとともに、横倒したり、角部や稜線部から落下したりしたときでも強度を確保可能にした場合を示したが、この実施の形態２では、輸送金具取付中心軸４０を鉛直線２９と一致させ、かつ、ブラケットＡ２２の取り付け高さを水槽重心高さ３０と一致させた場合を示している。
【００３５】
図３に示すように、実施の形態２に係る洗濯機１００ａでは、鉛直線２９と輸送金具取付中心軸４０とを一致させるようになっており、かつ、水槽２の背面側に設けたブラケットＡ２２の取り付け高さ（ブラケットＡ２２のネジ穴中心線の高さ）と水槽重心高さ３０とを一致させるようになっている。なお、ここでいう水槽重心２６とは、水槽２単体の重心ではなく、脱水槽１２、電動機１３、バランサ２５及び輸送金具２０等を含む、水槽２及び水槽２に組み付けられた部品全体の重心を示すものとする。
【００３６】
次に、洗濯機１００ａの作用について説明する。
実施の形態２においては、鉛直線２９と輸送金具取付中心軸４０とが一致しており、輸送時の振動及び衝撃によって水槽２に作用する上下方向の加振力が輸送金具２０を介して底部緩衝体１９に鉛直方向真っ直ぐに伝達されるようになっている。そのため、水槽２には前後左右方向のモーメント力は発生せず、水槽２を前後左右に揺動させないように固定保持することが可能になる。したがって、底部緩衝体１９も下向きの荷重を受け持つだけなので、前後左右に穴が広げられるような損傷を受けずに済む。
【００３７】
また、水槽２の背面側に設けたブラケットＡ２２の取り付け高さと水槽重心高さ３０とが一致しており、輸送時の振動及び衝撃によって水槽２に作用する前後方向の加振力がボルトＡ２４及びスペーサＡ２３を介して背面パネル３１に水平方向真っ直ぐに伝達されるようになっている。そのため、水槽２にはブラケットＡ２２及びボルトＡ２４の締結部（以下、単にボルトＡ締結部という）を中心とした、上下方向のモーメント力は発生せず、水槽２を上下に揺動させないように固定保持することが可能になる。
【００３８】
こうすることにより、この洗濯機１００ａでは、前吊り棒３、後吊り棒４、箱体１の球面座９、水槽２の受け座１１及び各種内部部品の損傷をさらに効果的に防止することができる。なお、実施の形態２において、鉛直線２９と輸送金具取付中心軸４０とを完全に一致させる必要はなく、たとえば輸送金具２０の底面において、前後左右の幅の範囲内に、鉛直線２９があればよい。同様に、ブラケットＡ２２の取り付け高さと水槽重心高さ３０とを完全に一致させる必要もない。
【００３９】
以上のように、実施の形態２に係る洗濯機１００ａは、鉛直線２９と輸送金具取付中心軸４０とを一致させることにより、水槽２に作用する上下方向の加振力が輸送金具２０を介して鉛直方向真っ直ぐに底部緩衝体１９に伝達されるようになっているため、水槽２に前後左右方向のモーメント力が発生せず、水槽２を前後左右に揺動させないように固定することができる。
【００４０】
また、洗濯機１００ａは、ブラケットＡ２２の取り付け高さと水槽重心高さ３０とを一致させることにより、水槽２に作用する前後方向の加振力がボルトＡ２４及びスペーサＡ２３を介して水平方向真っ直ぐに背面パネル３１に伝達されるようになっているため、水槽２に上下方向のモーメント力は発生せず、水槽２は上下に揺動させないように固定することができる。つまり、洗濯機１００ａは、より強固に水槽２を固定保持することが可能になっているのである。したがって、前吊り棒３、後吊り棒４、箱体１の球面座９、水槽２の受け座１１及び各種内部部品が損傷することをさらに効果的に防止できる。
【００４１】
実施の形態３．
図４は、本発明の実施の形態３に係る洗濯機１００ｂを側面から見た概略構成を示す透視図である。図４に基づいて、実施の形態３に係る洗濯機１００ｂの構成について説明する。この洗濯機１００ｂは、箱体１内に水槽２を前吊り棒３及び後吊り棒４で吊り下げ支持する構成となっている。この図４では、洗濯機１００ｂが包装装置２００内に包装され、床面２７に置かれている場合を表している。なお、実施の形態３では実施の形態１及び実施の形態２との相違点を中心に説明するものとし、実施の形態１及び実施の形態２と同一部分には、同一符号を付して説明を省略するものとする。
【００４２】
上述した実施の形態２では、鉛直線２９と輸送金具取付中心軸４０とを一致させ、かつ、ブラケットＡ２２の取り付け高さと水槽重心高さ３０とを一致させることにより、水槽２の上下、前後、左右方向の揺動を抑制して前吊り棒３、後吊り棒４、箱体１の球面座９、水槽２の受け座１１及び各種内部部品が損傷することを効果的に防止する場合を示したが、実施の形態３では、実施の形態２に係る洗濯機１００ａの構成に加えて背面パネル３１の内側あるいは外側に第１の補強板である補強板Ａ３２を取り付けて、ブラケットＡ２２及びボルトＡ２４の締結部の強度を向上するようにした場合を示している。
【００４３】
図４に示すように、実施の形態３に係る洗濯機１００ｂでは、背面パネル３１の内側に補強板Ａ３２が取り付けられ、ボルトＡ２４が背面パネル３１、補強板Ａ３２及びスペーサＡ２３を介してブラケットＡ２２に締結されるようになっている。ここでは、この補強板Ａ３２が背面パネル３１の内側、つまり箱体１の内部に取り付けられている場合を例に示しているが、背面パネル３１の外側、つまり箱体１の外部に取り付けるようにしてもよい。なお、補強板Ａ３２の材質を特に限定するものではなく、金属や樹脂、木材等で構成するとよい。
【００４４】
次に、洗濯機１００ｂの作用について説明する。
実施の形態３においては、背面パネル３１の内側に補強板Ａ３２が取り付けられ、ボルトＡ２４が背面パネル３１、補強板Ａ３２及びスペーサＡ２３を介してブラケットＡ２２に締結されるようになっている。通常、背面パネル３１は、０．６ｍｍ（ミリメートル）程度の薄い鋼板で構成されているので、洗濯機１００ｂの輸送時や取扱い時における振動及び衝撃等により局所的に大きな荷重を受けると、背面パネル３１のボルトＡ締結部が変形あるいは破損することが予想される。
【００４５】
そこで、洗濯機１００ｂは、背面パネル３１のボルトＡ締結部に補強板Ａ３２を取り付けることにより、輸送時の振動及び衝撃によって上下、前後、左右方向の加振力が水槽２に作用しても、背面パネル３１のボルトＡ締結部周辺に生じる応力を低減することができるようになっている。この包装装置２００が横倒した場合、あるいは角部や稜線部から落下した場合でも、同様に背面パネル３１のボルトＡ締結部周辺に生じる応力を低減することができ、このボルトＡ締結部の変形や破損などを効果的に防止できる。
【００４６】
以上のように、実施の形態３に係る洗濯機１００ｂは、背面パネル３１の内側あるいは外側に補強板Ａ３２を取り付けることにより、輸送時の振動及び衝撃や、取扱い時における転倒及び落下に対して、背面パネル３１のボルトＡ締結部周辺に生じる応力を低減し、このボルトＡ締結部の変形や破損などを効果的に防止している。したがって、実施の形態１に係る洗濯機１００及び実施の形態２に係る洗濯機１００ａの有する効果に加えて、背面パネル３１のボルトＡ締結部周辺の変形や破損を効果的に防止できるのである。
【００４７】
実施の形態４．
図５は、本発明の実施の形態４に係る洗濯機１００ｃを背面から見た概略構成を示す透視図である。図５に基づいて、実施の形態４に係る洗濯機１００ｃの構成について説明する。この洗濯機１００ｃは、箱体１内に水槽２を前吊り棒３及び後吊り棒４で吊り下げ支持する構成となっている。この図５では、洗濯機１００ｃが包装装置２００内に包装され、床面２７に置かれている場合を表している。なお、実施の形態４では実施の形態１〜実施の形態３との相違点を中心に説明するものとし、実施の形態１〜実施の形態３と同一部分には、同一符号を付して説明を省略するものとする。
【００４８】
上述した実施の形態２では、鉛直線２９と輸送金具取付中心軸４０とを一致させ、かつ、ブラケットＡ２２の取り付け高さと水槽重心高さ３０とを一致させることにより、水槽２の上下、前後、左右方向の揺動を抑制して前吊り棒３、後吊り棒４、箱体１の球面座９、水槽２の受け座１１及び各種内部部品が損傷することを効果的に防止する場合を示したが、実施の形態４では、実施の形態１に係る洗濯機１００〜実施の形態３に係る洗濯機１００ｂの構成に加えて水槽２の左右方向に複数のブラケットＡ２２を設けるか、あるいはブラケットＡ２２を左右方向に長くするなどして、複数箇所で複数のボルトＡ２４と締結することにより、さらに左右方向の水槽２の揺動を抑制するようにした場合を示している。
【００４９】
図５に示すように、実施の形態４に係る洗濯機１００ｃでは、ブラケットＡ２２が水槽中心軸２８（実際には、水槽中心軸２８を水槽２の正面側から水槽外周壁に投影したときに形成される投影中心軸２８’）をはさんで左右２箇所（対称位置）に設けられており、それぞれがボルトＡ２４、スペーサＡ２３及び補強板Ａ３２を介して背面パネル３１に締結されるようになっている。ここでは、２つのブラケットＡ２２を水槽中心軸２８をはさんで対称位置に配設した場合を例に示しているが、これに限定するものではない。たとえば、１つのブラケットＡ２２を左右方向に長くした形状にしてもよい。この場合には、水槽中心軸２８をはさんで複数箇所をボルトＡ２４で締結すればよい。
【００５０】
なお、この図５では、補強板Ａ３２が背面パネル３１の左右方向に長くした形状を例に示しているが、これに限定するものではない。たとえば、ブラケットＡ２２の形状に対応させたような形状にしてもよい。つまり、ボルトＡ締結部周辺に補強板Ａが設けられていればよいのである。また、ブラケットＡ２２を２つ設けた場合を例に示しているが、これに限定するものではなく、それ以上のブラケットＡ２２を設けるようにしてもよい。
【００５１】
次に、洗濯機１００ｃの作用について説明する。
上述した実施の形態２においては、鉛直線２９と輸送金具取付中心軸４０とを一致させ、かつ、ブラケットＡ２２の取り付け高さと水槽重心高さ３０とを一致させることにより、上下方向及び前後方向の荷重に対して水槽２の揺動を抑制することができるが、上下方向及び前後方向に比べると左右方向に対する拘束力が弱いものとなってしまうことが予想される。
【００５２】
そこで、実施の形態４においては、ブラケットＡ２２が水槽中心軸２８をはさんで左右２箇所に設けられ、それぞれがボルトＡ２４、スペーサＡ２３及び補強板Ａ３２を介して背面パネル３１に締結されており、水槽２の左右方向の揺動をより強固に抑制することができる。また、上下方向及び前後方向の荷重に対しても、背面パネル３１のボルトＡ締結部１箇所当りで受け持つ荷重を小さくすること、つまり荷重を分割することができるので、更にボルトＡ締結部の変形や破損等を防止することができる。
【００５３】
実施の形態５．
図６は、本発明の実施の形態５に係る洗濯機１００ｄを背面から見た概略構成を示す透視図である。図６に基づいて、実施の形態５に係る洗濯機１００ｄの構成について説明する。この洗濯機１００ｄは、箱体１内に水槽２を前吊り棒３及び後吊り棒４で吊り下げ支持する構成となっている。この図６では、洗濯機１００ｄが包装装置２００内に包装され、床面２７に置かれている場合を表している。なお、実施の形態５では実施の形態１〜実施の形態４との相違点を中心に説明するものとし、実施の形態１〜実施の形態４と同一部分には、同一符号を付して説明を省略するものとする。
【００５４】
上述した実施の形態４では、水槽２の左右方向に複数のブラケットＡ２２を設けるか、あるいはブラケットＡ２２を左右方向に長くするなどして、複数箇所で複数のボルトＡ２４と締結することにより、左右方向の水槽２の揺動を抑制するようにした場合を示したが、実施の形態５では、実施の形態１に係る洗濯機１００〜実施の形態４に係る洗濯機１００ｃの構成に加えて水槽２の左右にネジ穴を有する第２のブラケットであるブラケットＢ３３を配設し、箱体１の左右の側面パネル３７からブラケットＢ３３ネジ穴に側面パネル３７を貫通するようにボルトＢ３５を取り付けて水槽２を更に揺動不能に固定保持した場合を示している。
【００５５】
図６に示すように、実施の形態５に係る洗濯機１００ｄでは、水槽２の左右の側面それぞれにブラケットＢ３３が配設されており、ボルトＢ３５及びスペーサＢ３４を用いて締結することにより側面パネル３７に水槽２を固定保持するようになっている。また、洗濯機１００ｄは、洗濯機１００ａ〜洗濯機１００ｃと同様に鉛直線２９と輸送金具取付中心軸４０とを一致させるとともに、ブラケットＡ２２と同様にブラケットＢ３３の取り付け高さと水槽重心高さ３０とを一致させている。
【００５６】
次に、洗濯機１００ｄの作用について説明する。
まず、図６に示したように、洗濯機１００ｄの包装時においては、水槽２の下部に設けられた輸送金具２０を、その底面形状に合せた底部緩衝体１９に嵌め込んで上下方向の位置決めを行う。そして、その高さにおいて水槽２の左右の側面に設けたブラケットＢ３３の穴位置と、側面パネル３７に設けた穴位置とが一致するようになっており、ボルトＢ３５及びスペーサＢ３４を用いて締結することにより側面パネル３７に水槽２を固定保持する。
【００５７】
この洗濯機１００ｄでは、実施の形態２と同様に、鉛直線２９と輸送金具取付中心軸４０とを一致させており、輸送時の振動及び衝撃によって水槽２に作用する上下方向の加振力が輸送金具２０を介して底部緩衝体１９に鉛直方向真っ直ぐに伝達されるようになっているため、水槽２には前後左右方向のモーメント力は発生せず、水槽２を前後左右に揺動させないように固定保持することができる。
【００５８】
この洗濯機１００ｄによれば、水槽２の側面側に設けたブラケットＢ３３の取り付け高さと水槽重心高さ３０とを一致させており、輸送時の振動及び衝撃によって水槽２に作用する左右方向の加振力がボルトＢ３５及びスペーサＢ３４を介して側面パネル３７に水平方向真っ直ぐに伝達されるようになっているため、水槽２にはブラケットＢ３３及びボルトＢ３５の締結部（以下、単にボルトＢ締結部という）を中心とした、上下方向のモーメント力は発生せず、水槽２を上下に揺動させないように固定保持することができる。
【００５９】
また、前後方向の加振力に対しても、ブラケットＢ３３の取り付け高さと水槽重心高さ３０とが一致していることにより、ボルトＢ締結部には前後方向のせん断力が生じるのみで、このボルトＢ締結部を中心とした上下方向のモーメント力は発生せず、水槽２を上下に揺動させないように固定保持することができる。さらに、上下方向の加振力に対しても、水槽２の左右の側面を固定することにより、さらに効果的に水槽２の揺動を抑制できる。なお、実施の形態５において、ブラケットＢ３３は、水槽２と別部品である場合に限定するものではなく、水槽２の一部にブラケットＢ３３の機能を併せ持たせてもよい。
【００６０】
以上のように、実施の形態５に係る洗濯機１００ｄは、水槽２の左右の側面に設けたブラケットＢ３３及び側面パネル３７をボルトＢ３５及びスペーサＢ３４を用いて締結して側面パネル３７に水槽２を固定保持することにより、水槽２の揺動を抑制することができる。さらに言えば、洗濯機１００ｄは、鉛直線２９と輸送金具取付中心軸４０とが一致しているため、水槽２に作用する上下、前後、左右方向の加振力に対して水槽２の揺動を効果的に抑制することができる。
【００６１】
実施の形態６．
図７は、本発明の実施の形態６に係る洗濯機１００ｅを背面から見た概略構成を示す透視図である。図７に基づいて、実施の形態６に係る洗濯機１００ｅの構成について説明する。この洗濯機１００ｅは、箱体１内に水槽２を前吊り棒３及び後吊り棒４で吊り下げ支持する構成となっている。この図７では、洗濯機１００ｅが包装装置２００内に包装され、床面２７に置かれている場合を表している。なお、実施の形態６では実施の形態１〜実施の形態５との相違点を中心に説明するものとし、実施の形態１〜実施の形態５と同一部分には、同一符号を付して説明を省略するものとする。
【００６２】
上述した実施の形態５では、水槽２の下部に設けた輸送金具２０を底部緩衝体１９に嵌め込み、かつ、水槽２の左右に設けたブラケットＢ３３と側面パネル３７とを締結することにより、水槽２の揺動を抑制した場合を示したが、実施の形態６では、実施の形態１の洗濯機１００ａ〜実施の形態５の洗濯機１００ｄの構成に加えて側面パネル３７の内側あるいは外側に第２の補強板である補強板Ｂ３６を取り付けて、ボルトＢ締結部の強度を更に向上するようにした場合を示している。
【００６３】
図７に示すように、側面パネル３７の内側に補強板Ｂ３６が取り付けられ、ボルトＢ３５が側面パネル３７、補強板Ｂ３６及びスペーサＢ３４を介してブラケットＢ３３に締結されるようになっている。ここでは、この補強板Ｂ３６が側面パネル３７の内側、つまり箱体１の内部に取り付けられている場合を例に示しているが、側面パネル３７の外側、つまり箱体１の外部に取り付けるようにしてもよい。なお、補強板Ｂ３６の材質を特に限定するものではなく、金属や樹脂、木材等で構成するとよい。
【００６４】
次に、洗濯機１００ｅの作用について説明する。
実施の形態６においては、側面パネル３７の内側に補強板Ｂ３６が取り付けられ、ボルトＢ３５が側面パネル３７、補強板Ｂ３６及びスペーサＢ３４を介してブラケットＢ３３に締結されるようになっている。通常、側面パネル３７は、０．６ｍｍ程度の薄い鋼板で構成されているので、洗濯機１００ｅの輸送時や取扱い時における振動及び衝撃等により局所的に大きな荷重を受けると、側面パネルＢ３７のボルトＢ締結部が変形あるいは破損することが予想される。
【００６５】
そこで、洗濯機１００ｅは、側面パネル３７のボルトＢ締結部に補強板Ｂ３６を取り付けることにより、輸送時の振動及び衝撃によって上下、前後、左右方向の加振力が水槽２に作用しても、側面パネル３７のボルトＢ締結部周辺に生じる応力を低減することができる。この包装装置２００を横倒した場合、あるいは角部や稜線部から落下した場合でも、同様に側面パネル３７のボルトＢ締結部周辺に生じる応力を低減することができ、このボルトＢ締結部の変形や破損などを効果的に防止できる。
【００６６】
以上のように、実施の形態６に係る洗濯機１００ｅは、側面パネル３７の内側あるいは外側に補強板Ｂ３６を取り付けることにより、輸送時の振動及び衝撃や、取扱い時における転倒及び落下に対して、側面パネル３７のボルトＢ締結部周辺に生じる応力を低減し、このボルトＢ締結部の変形や破損などを効果的に防止している。したがって、実施の形態５に係る洗濯機１００ｄの有する効果に加えて、側面パネル３７のボルトＢ締結部周辺の変形や破損を更に効果的に防止可能になっているのである。
【００６７】
実施の形態７．
図８は、本発明の実施の形態７に係る洗濯機１００ｆを背面から見た概略構成を示す透視図である。図８に基づいて、実施の形態７に係る洗濯機１００ｆの構成について説明する。この洗濯機１００ｆは、箱体１内に水槽２を前吊り棒３及び後吊り棒４で吊り下げ支持する構成となっている。この図８では、洗濯機１００ｆが包装装置２００内に包装され、床面２７に置かれている場合を表している。なお、実施の形態７では実施の形態１〜実施の形態６との相違点を中心に説明するものとし、実施の形態１〜実施の形態６と同一部分には、同一符号を付して説明を省略するものとする。
【００６８】
上述した実施の形態４では、水槽２と背面パネル３１とをボルトＡ２４を用いて締結することにより水槽２の揺動を抑制する場合を、上述した実施の形態６では、水槽２と側面パネル３７とをボルトＢ３６を用いて締結することにより水槽２の揺動を抑制する場合をそれぞれ示したが、実施の形態７では、水槽２と背面パネル３１及び水槽２と左右両方の側面パネル３７とをそれぞれボルトＡ２４及びボルトＢ３５で締結することにより、水槽２の揺動を更に抑制するようにした場合を示している。
【００６９】
図８に示すように、ブラケットＡ２２は水槽中心軸２８（実際には、水槽中心軸２８を水槽２の正面側から水槽外周壁に投影したときに形成される投影中心軸２８’）をはさんで左右２箇所に設けられており、それぞれがボルトＡ２４、スペーサＡ２３及び補強板Ａ３２を介して背面パネル３１に締結されるようになっている。また、水槽２の左右の側面にはブラケットＢ３３が取り付けられており、ボルトＢ３５及びスペーサＢ３４を用いて締結することにより側面パネル３７に水槽２を固定保持するようになっている。また、洗濯機１００ｆは、洗濯機１００ａ〜洗濯機１００ｅと同様に鉛直線２９と輸送金具取付中心軸４０とを一致させるとともに、ブラケットＡ２２及びブラケットＢ３３の取り付け高さと水槽重心高さ３０とを一致させている。
【００７０】
次に、洗濯機１００ｆの動作について説明する。
まず、図８に示したように、洗濯機１００ｆの包装時においては、水槽２の下部に設けられた輸送金具２０を、その底面形状に合せた底部緩衝体１９に嵌め込んで上下方向の位置決めを行う。そして、その高さにおいて水槽２の左右の背面に設けたブラケットＡ２４の穴位置と、背面パネル３１に設けた穴位置とが一致するようになっており、ボルトＡ２４及びスペーサＡ２３を用いて締結することにより背面パネル３１に水槽２を固定保持する。
【００７１】
同様に、その高さにおいて水槽２の左右の側面に設けたブラケットＢ３３の穴位置と、側面パネル３７に設けた穴位置とが一致するようになっており、ボルトＢ３５及びスペーサＢ３４を用いて締結することにより側面パネル３７に水槽２を固定保持する。この洗濯機１００ｆでは、実施の形態２と同様に、鉛直線２９と輸送金具取付中心軸４０とを一致させており、水槽２に作用する上下方向の加振力が輸送金具２０を介して底部緩衝体１９に鉛直方向真っ直ぐに伝達されるため、水槽２には前後左右方向のモーメント力は発生せず、水槽２を前後左右に揺動させないように固定保持することができる。
【００７２】
この洗濯機１００ｆによれば、水槽２の背面側に設けたブラケットＡ２２の取り付け高さと水槽重心高さ３０とを一致させており、水槽２に作用する前後方向の加振力がボルトＡ２４及びスペーサＡ２３を介して背面パネル３１に水平方向真っ直ぐに伝達されるため、水槽２にはボルトＡ締結部を中心とした、上下方向のモーメント力は発生せず、水槽２を上下に揺動させないように固定保持することができる。
【００７３】
また、実施の形態５と同様に、水槽２の側面側に設けたブラケットＢ３３の取り付け高さと水槽重心高さ３０とが一致しており、水槽２に作用する左右方向の加振力がボルトＢ３５及びスペーサＢ３４を介して側面パネル３７に水平方向真っ直ぐに伝達されるため、水槽２にはボルトＢ締結部を中心とした、上下方向のモーメント力は発生せず、水槽２を上下に揺動させないように固定保持することができる。
【００７４】
前後方向の加振力に対しても、ブラケットＢ３３の取り付け高さと水槽重心高さ３０が一致していることにより、ボルトＢ締結部には前後方向のせん断力が生じるのみで、このボルトＢ締結部を中心とした上下方向のモーメント力は発生せず、水槽２を上下に揺動させないように固定することができる。さらに、上下方向の加振力に対しても、水槽２の左右の側面を固定することにより、さらに効果的に水槽２の揺動を抑制することができる。なお、実施の形態７において、ブラケットＡ２２及びブラケットＢ３３は、水槽２と別部品である場合に限定するものではなく、水槽２の一部にブラケットＡ２２及びブラケットＢ３３の機能を持たせてもよい。
【００７５】
以上のように、実施の形態７に係る洗濯機１００ｆは、水槽２及び背面パネル３１と、水槽２及び左右両方の側面パネル３７とをボルトＡ２４及びボルトＢ３５で締結することにより、さらに水槽２の揺動を抑制することができる。さらに言えば、洗濯機１００ｆは、鉛直線２９と輸送金具取付中心軸４０とが一致しているため、水槽２に作用する上下、前後、左右方向の加振力に対して水槽２の揺動を効果的に抑制することができる。
【００７６】
実施の形態８．
図９は、本発明の実施の形態８に係る洗濯機１００ｇを上側から透視して見た状態を示す透視平面図である。図９に基づいて、実施の形態８に係る洗濯機１００ｇの構成について説明する。この洗濯機１００ｇは、箱体１内に水槽２を前吊り棒３及び後吊り棒４で吊り下げ支持する構成となっている。この図９では、水槽２の後方側面に金属板５０を配設している状態を表している。なお、実施の形態８では実施の形態１〜実施の形態７との相違点を中心に説明するものとし、実施の形態１〜実施の形態７と同一部分には、同一符号を付して説明を省略するものとする。
【００７７】
上述した実施の形態１では、水槽２の背面側に設けたブラケットＡ２２を背面パネル３１にボルトＡ２４で締結することによって水槽２を固定保持し、洗濯機１００を輸送時の荷重、振動及び衝撃から保護するとともに、横倒したり、角部や稜線部から落下したりしたときでも強度を確保可能にした場合を示したが、この実施の形態８では、水槽２とブラケットＡ２２との間に切欠部５１を形成した金属板５０を配設し、水槽２を固定保持させた場合を示している。
【００７８】
図９に示すように、実施の形態８に係る洗濯機１００ｇでは、水槽２の背面側に金属板５０を配設している。この金属板５０には、切欠部５１が形成されており、この切欠部５１にブラケットＡ２２の一端が係合されるようになっている。具体的には、ブラケットＡ２２の一端に設けられている引っかけ部５２が切欠部５１に係合するようなっている。また、切欠部５１は、金属板５０の上下方向が切り欠けられるように形成されており、ブラケットＡ２２の一端（引っかけ部５２も含む）が所定範囲（ここでは、上下方向）に移動可能になっている。
【００７９】
図１０は、金属板５０を説明するための説明図である。図１０に基づいて、金属板５０の構成を詳細に説明する。また、図１０（ａ）が洗濯機１００ｇの背面側底部を側面から見た状態を拡大して示す拡大側面図を、図１０（ｂ）が金属板５０を斜めから見た斜視図をそれぞれ示している。図９で説明したように、金属板５０は、水槽２の背面側に配設されている。詳細には、金属板５０の一端が水槽２の底面に固定され、所定の角度で折り曲げられて水槽２の背面側に配設されるようになっている。また、切欠部５１は、金属板５０の背面側に配設される部分に形成されているが、この切り欠けた部分も折り曲げられて所定の隙間が形成されるようになっている。そして、ブラケットＡ２２の一端に設けられている引っかけ部５２を金属板５０の切欠部５１に係合させている。
【００８０】
図１１は、背面パネル３１ａの構成を示す構成図である。図１１に基づいて、背面パネル３１ａの構成について説明する。この図１１では、ボルトＡ２４がスリット５３の最下部に挿入されている場合を例に示している。図１１に示すように、背面パネル３１ａには、ボルトＡ２４を挿入するためのスリット５３が形成されている。このスリット５３は、ボルトＡ２４が所定範囲（ここでは、上下方向）に移動可能なように形成されている。つまり、スリット５３は、上下方向が長くなるように形成されているのである。
【００８１】
次に、洗濯機１００ｇの作用について説明する。
実施の形態８においては、水槽２の背面側に設けた金属板５０及びブラケットＡ２２をボルトＡ２４で締結することによって、水槽２を背面パネル３１ａに固定するようにしている。そして、金属板５０にはブラケットＡ２２の一端（引っかけ部５２を含む）が所定範囲で移動可能な切欠部５１が形成されており、背面パネル３１ａにはボルトＡ２４が所定範囲で移動可能なスリット５３が形成されている。こうすることにより、輸送時の振動及び衝撃で背面パネル３１ａに伝達するモーメント力によって、背面パネル３１ａの破壊や損傷、変形を効果的に防止できる。また、水槽２からの衝撃力をスリット５３のある方向のみに遊びがあることで、背面パネル３１ａに伝達させることなく、スリット５３のない方向で効果的に水槽２の振動を抑制することができる。
【００８２】
以上のように、実施の形態８に係る洗濯機１００ｇは、切欠部５１を形成した金属板５０と、スリット５３を形成した背面パネル３１ａとによって、ブラケットＡ２２が所定の範囲で移動可能なので、ブラケットＡ２２を遊びを持ってボルトＡ２４で締結することができ、背面パネル３１ａを効果的に保護することができる。すなわち、輸送時の振動及び衝撃によって、ブラケットＡ２２を介して背面パネル３１ａに伝達するモーメント力を切欠部５１及びスリット５３によって緩和させているのである。
【００８３】
なお、この実施の形態８では、金属板５０に切欠部５１を形成した場合を例に説明したが、これに限定するものではない。たとえば、金属板５０の一部に開口部を形成して、ブラケットＡ２２の一端を係合するようにしてもよい。また、引っかけ部５２は、切欠部５１や開口部に引っかけれて、金属板５０を係合できる形状であればよく、特に形状を限定するものではない。さらに、水槽２を背面パネル３１ａで固定する場合を例に説明したが、水槽２を側面パネル３７で固定してもよい。
【００８４】
実施の形態９.
図１２は、本発明の実施の形態９に係る洗濯機２００ａを説明するための説明図である。図１２に基づいて、実施の形態９に係る包装装置２００ａの構成について説明する。図１２では、包装装置２００ａ内に、実施の形態１〜実施の形態８のいずれかの洗濯機が包装されている場合を例に示している。なお、実施の形態９では実施の形態１〜実施の形態８との相違点を中心に説明するものとし、実施の形態１〜実施の形態８と同一部分には、同一符号を付して説明を省略するものとする。
【００８５】
包装装置２００ａは、包装装置２００と基本的な構成は同様であるが、底部緩衝体、脚部緩衝体及び槽押えが包装装置２００と異なっている。つまり、底部緩衝体１９ａに、この底部緩衝体１９ａの剛性とは異なる剛性の突起部６０を、輸送金具２０ａに、突起部６０を装着する開口部６１をそれぞれ設け、突起部６０を開口部６１に装着することで、輸送金具２０ａを底部緩衝体１９ａに固定するようにしている。また、底ケース１４の底面４隅に脚部緩衝体１８ａを設けるようにしている。さらに、槽押え２１ａを分割構造としている。
【００８６】
図１２に示すように、脚部緩衝体１８ａは、底ケース１４の底面４隅に設けられ、それぞれが底部緩衝体１９ａと接続するようになっている。また、底部緩衝体１９ａの上面中央部には、突起部６０が設けられている。この突起部６０は、底部緩衝体１９ａの剛性と異なる剛性の材料で構成されている。つまり、底部緩衝体１９ａの剛性よりも高い剛性となる材料、たとえばポリプロピレン（ＰＰ）等の合成樹脂や金属を材料として、突起部６０を構成するとよい。
【００８７】
こうすることによって、輸送金具２０ａの位置決めが容易にできるとともに、輸送金具２０ａと底部緩衝体１９ａとのズレを低減することができる。この包装装置２００ａが横倒した場合、あるいは角部や稜線部から落下した場合でも、輸送金具２０ａで荷重を受けるため、水槽２の揺動を抑制し、前吊り棒３、後吊り棒４、箱体１の球面座９、水槽２の受け座１１及び図示省略の各種内部部品が損傷することを防止できる。また、脚部緩衝体１８ａを４分割とし、底部緩衝体１９ａと接続させたので、脚部緩衝体１８ａを構成する材料を節約するとともに、底部緩衝体１９ａに加わる荷重を分散することができる。
【００８８】
図１３は、突起部６０が設けられた底部緩衝体１９ａを上から見た状態を示す平面図である。図１３に基づいて、突起部６０の構成について詳細に説明する。なお、図１３には、脚部緩衝体１８ａを併せて図示している。上述したように、突起部６０は、底部緩衝体１９ａとは剛性の異なる材料で構成されている。図１３に示すように、突起部６０は、底部緩衝体１９ａの上面中央部に形成されている凹部６５に設けられている。底部緩衝体１９ａの上面中央部に凹部６５を形成することによって、突起部６０を確実に底部緩衝体１９ａに設けることができるのである。なお、底部緩衝体１９ａに凹部６５を形成せずに、突起部６０を設けるようにしてもよい。
【００８９】
そして、この突起部６０が輸送金具２０ａの開口部６１に装着された状態において、突起部６０の少なくとも一部を、輸送金具２０ａ及び底部緩衝体１９ａと接するようにしている。この実施の形態９では、突起部６０の底面が底部緩衝体１９ａに接し、突起部６０のいずれかの側面が開口部６１を介して輸送金具２０ａに接するようになっている。なお、この突起部６０の形状は、底部緩衝体１９ａに設けることができ、輸送金具２０ａの開口部６１に装着可能であればよく、特に限定するものではない。また、図１３では、脚部緩衝体１８ａと底部緩衝体１９ａとが分離している場合を例に示しているが、脚部緩衝体１８ａと底部緩衝体１９ａとを一体的に形成してもよい。
【００９０】
図１４は、槽押え２１ａ及び第２槽押え６６の断面構成を示す縦断面図である。図１４に基づいて、槽押え２１ａ及び第２槽押え６６の構成について詳細に説明する。図１４に示すように、槽押え２１ａは、分割構造となっている点で、槽押え２１とは異なっている。また、槽押え２１ａは、蓋１５に接していない点で、槽押え２１とは異なっている。そして、槽押え２１ａには、水槽２の開口部縁に引っかけられるつば部６７が形成されている。つまり、つば部６７を水槽２の開口部縁に引っかけることで、脱水槽１２の内部に落下するのを防止しているのである。また、つば部６７は、箱体１の開口部と水槽２の開口部との間に引っかけるようにしてもよい。
【００９１】
槽押え２１ａを分割構造とすると、たとえば水槽２の開口部が箱体１の開口部よりも広くなっているような場合でも、水槽２及び脱水槽１２の各開口部縁に槽押え２１ａを嵌め込むことができ、水槽２及び脱水槽１２の揺動を抑制することができる。つまり、槽押え２１ａを分割した状態で、水槽２及び脱水槽１２の各開口部縁に嵌め込むことができるのである。また、この槽押え２１ａは、投入口１６及び水槽２の開口部縁に嵌め込まれた状態において、空間部６３が形成されるようになっている。槽押え２１ａを分割構造としたことによって、各分割した部分の間には所定の隙間ができてしまい、この隙間を空間部６３として利用するようにしている。
【００９２】
槽押え２１ａを分割した状態で、水槽２及び脱水槽１２の各開口部縁に嵌め込むことができるものの、所定の隙間ができてしまうことで、槽押え２１が脱水槽１２の内部に落下してしまうことがある。そこで、空間部６３に、槽押え２１ａとは別の第２槽押え６６を挿入することで、槽押え２１ａを水槽２及び脱水槽１２の各開口部縁に確実に嵌め込むこようにしている。この第２槽押え６６は、空間部６３に挿入され、槽押え２１ａを内側から外側に荷重をかける機能を有している。こうすることで、水槽２及び脱水槽１２の揺動を効果的に抑制することができる。  
【００９３】
実施の形態１〜実施の形態８に係る洗濯機１００〜洗濯機１００ｇは、水槽２を傾斜させた状態で強固に固定することができるので、洗濯機１００〜洗濯機１００ｇの輸送時の振動及び衝撃や、取扱い時における転倒及び落下から洗濯機１００〜洗濯機１００ｇを効果的に保護するようになっている。また、実施の形態１〜実施の形態８に係る洗濯機１００〜洗濯機１００ｇは、実施の形態１〜実施の形態８で説明した内容に限定されることなく、本発明の趣旨から逸脱しない範囲内において適用することが可能である。
【図面の簡単な説明】
【００９４】
【図１】実施の形態１に係る洗濯機を側面から見た概略構成を示す透視図である。
【図２】輸送金具の構成の一例を示す斜視図である。
【図３】実施の形態２に係る洗濯機を側面から見た概略構成を示す透視図である。
【図４】実施の形態３に係る洗濯機を側面から見た概略構成を示す透視図である。
【図５】実施の形態４に係る洗濯機を背面から見た概略構成を示す透視図である。
【図６】実施の形態５に係る洗濯機を背面から見た概略構成を示す透視図である。
【図７】実施の形態６に係る洗濯機を背面から見た概略構成を示す透視図である。
【図８】実施の形態７に係る洗濯機を背面から見た概略構成を示す透視図である。
【図９】実施の形態８に係る洗濯機の背面側の一部を透視して見た状態を示す透視図である。
【図１０】洗濯機の背面側底部を側面から見た状態を拡大して示す拡大側面図である。
【図１１】背面パネルの構成を示す構成図である。
【図１２】実施の形態９に係る洗濯機を斜めから見た概略構成を示す透視図である。
【図１３】固定部の構成を示す分解図である。
【図１４】槽押え及び第２槽押えの構成を示す分解図である。
【符号の説明】
【００９５】
１  箱体、２  水槽、３  前吊り棒、４  後吊り棒、７  前防振装置、８  後防振装置、９  球面座、１０  脚、１１  受け座、１２  脱水槽、１３  電動機、１４  底ケース、１５  蓋、１６  投入口、１７  上部緩衝体、１８  脚部緩衝体、１８ａ  脚部緩衝体、１９  底部緩衝体、１９ａ  底部緩衝体、２０  輸送金具、２０ａ  輸送金具、２１  槽押え、２１ａ  槽押え、２２  ブラケットＡ、２３  スペーサＡ、２４  ボルトＡ、２５  バランサ、２６  水槽重心、２７  床面、２８  水槽中心軸、２８’  投影中心軸、２９  鉛直線、３０  水槽重心高さ、３１  背面パネル、３１ａ  背面パネル、３２  補強板Ａ、３３  ブラケットＢ、３４  スペーサＢ、３５  ボルトＢ、３６  補強板Ｂ、３７  側面パネル、３８  ボルトＣ、３９  穴、４０  輸送金具取付中心軸、４１  外装ケース、５０  金属板、５１  切欠部、  ５２  引っかけ部、５３  スリット、６０  突起部、６１  開口部、６３  空間部、６５  凹部、６６  第２槽押え、６７  つば部、１００  洗濯機、１００ａ  洗濯機、１００ｂ  洗濯機、１００ｃ  洗濯機、１００ｄ  洗濯機、１００ｅ  洗濯機、１００ｆ  洗濯機、１００ｇ  洗濯機、２００  包装装置、２００ａ  包装装置。
【図１】
2008062021.tif 000003
【図２】
2008062021.tif 000004
【図３】
2008062021.tif 000005
【図４】
2008062021.tif 000006
【図５】
2008062021.tif 000007
【図６】
2008062021.tif 000008
【図７】
2008062021.tif 000009
【図８】
2008062021.tif 000010
【図９】
2008062021.tif 000011
【図１０】
2008062021.tif 000012
【図１１】
2008062021.tif 000013
【図１２】
2008062021.tif 000014
【図１３】
2008062021.tif 000015
【図１４】
2008062021.tif 000016